【事件の表示】
　特許第３１１３７１７号「遊技機」の請求項１に係る特許に対する特許異議の申立てについて、次のとおり決定する。
【結　論】
　訂正を認める。
　特許第３１１３７１７号の請求項１に係る特許を維持する。
【理　由】
第１．手続の経緯
　本件特許第３１１３７１７号の請求項１に係る発明は、平成３年１２月２８日に特許出願され、平成１２年９月２２日に設定登録がなされ、その後、河井清悦より特許異議の申立てがなされ、平成１３年９月２０日付けで取消理由通知がなされ、その指定期間内である平成１３年１１月２６日に訂正請求がなされたものである。
　　　　
第２．訂正の適否についての判断
１．訂正の内容
　平成１３年１１月２６日付けの訂正請求の内容は、以下のとおりのものである。
　i．訂正事項ａ
　特許明細書の特許請求の範囲の請求項１を、
　「【請求項１】　カードが保有する有価データの範囲内で所要数の遊技球を貸し出すための制御を行う球貸制御手段を備えたカードユニットと電気的に一対一に接続される遊技機であって、当該遊技機の遊技盤に設けられた入賞口への遊技球の入賞に基づく入賞信号の入力処理、および該遊技盤に設けられた所要の役物装置の制御等を行う遊技制御装置と、前記遊技制御装置および前記カードユニットの球貸制御手段の各々と電気的に接続され、該遊技制御装置或いは該球貸制御手段からの排出指令信号に基づいて、所要数の賞球或いは貸球を排出させる制御を行う排出制御手段と、を備え、前記排出制御手段は、前記球貸制御手段と当該排出制御手段との間の電気的接続状態を監視する接続監視手段を備え、前記球貸制御手段から直流電流が供給されなくなり、該接続監視手段により前記球貸制御手段と前記排出制御手段との間の電気的非接続状態が検知された場合に、当該遊技機の打球発射装置に対してその作動を不能にすることが可能に構成されていることを特徴とする遊技機。」
と訂正する。
　ii．訂正事項ｂ
　特許明細書の段落【０００５】の【課題を解決するための手段】を、
　「上記課題を解決するため、本発明は、カードが保有する有価データの範囲内で所要数の遊技球を貸し出すための制御を行う球貸制御手段を備えたカードユニットと電気的に一対一に接続される遊技機であって、当該遊技機の遊技盤に設けられた入賞口への遊技球の入賞に基づく入賞信号の入力処理、および該遊技盤に設けられた所要の役物装置の制御等を行う遊技制御装置と、前記遊技制御装置および前記カードユニットの球貸制御手段の各々と電気的に接続され、該遊技制御装置或いは該球貸制御手段からの排出指令信号に基づいて、所要数の賞球或いは貸球を排出させる制御を行う排出制御手段と、を備え、前記排出制御手段は、前記球貸制御手段と当該排出制御手段との間の電気的接続状態を監視する接続監視手段を備え、前記球貸制御手段から直流電流が供給されなくなり、該接続監視手段により前記球貸制御手段と前記排出制御手段との間の電気的非接続状態が検知された場合に、当該遊技機の打球発射装置に対してその作動を不能にすることが可能に構成されていることを特徴とする。」
と訂正する。
　iii．訂正事項ｃ
　特許明細書の段落【０００６】の【作用】を、
　「本発明では、遊技制御装置により、遊技機の遊技盤に設けられた入賞口への遊技球の入賞に基づく入賞信号の入力処理、および該遊技盤に設けられた所要の役物装置の制御等が行われ、該遊技制御装置、およびカードが保有する有価データの範囲内で所要数の遊技球を貸し出すための制御を行うカードユニットの球貸制御手段の各々と電気的に接続された排出制御手段により、該遊技制御装置或いは該球貸制御手段からの排出指令信号に基づいて、所要数の賞球或いは貸球を排出させる制御が行われる。前記排出制御手段に備えられた接続監視手段により、前記球貸制御手段と排出制御手段との間の電気的接続状態が監視され、電気的非接続状態が検知された場合に、当該遊技機の打球発射装置に対してその作動が不能にされる。」
と訂正する。
　iv．訂正事項ｄ
　特許明細書の段落【００１０】を削除する訂正をする。
　v．訂正事項ｅ
　特許明細書の段落【００２９】の【発明の効果】を、
　「本発明によれば、遊技機における排出制御手段により、賞球の排出制御だけではなく、カードユニットの球貸制御手段からの排出指令信号に基づく貸球の排出制御を行うようにしたので、遊技機が賞球の排出のみならず、貸球を排出するための機能を持つこととなり、その結果、遊技機側で貸球を排出することが可能となり、遊技者の貸球に関する利便性を向上させることができる。また、排出制御手段に備えられた接続監視手段により、カードユニットの球貸制御手段と排出制御手段との間の電気的接続状態が監視され、前記球貸制御手段から直流電流が供給されなくなり、該接続監視手段により前記球貸制御手段と前記排出制御手段との間の電気的非接続状態が検知された場合に、当該遊技機の打球発射装置に対してその作動が不能にされることで遊技が不能となるので、遊技機での遊技が可能であるにもかかわらず貸球の排出が不能となるような不都合な状況が発生するという事態を回避することができる。特に、排出制御手段に接続監視手段が備えられているので、効率よく確実に電気的接続状態の監視が行える。また、特に、排出制御手段が接続監視手段を備えていることにより、これらのカード式遊技機のシステムに何らかの不正行為がなされて、遊技機とカードユニット（排出制御手段と球貸制御手段）間が電気的非接続状態となった場合には、その状態が確実に検知されて遊技を行うことができなくなるので、システム自体の信頼性を向上させることができる。」
と訂正する。
　　　　　
２．訂正の目的の適否、新規事項の有無及び拡張・変更の存否
　上記訂正事項ａは、特許明細書の特許請求の範囲には記載されていた「接続監視手段」をより下位概念に具体化限定化するものであるから、特許請求の範囲の減縮を目的とするものであり、また、上記訂正事項ｂ乃至ｅは、訂正前の特許請求の範囲の記載、及び訂正により減縮された特許請求の範囲の記載と発明の詳細な説明の記載とを整合させるため、【課題を解決するための手段】、【作用】及び【発明の効果】を訂正する、明りょうでない記載の釈明及び誤記の訂正を目的とするものであり、そして、これらの訂正事項ａ乃至ｅは、特許明細書に記載された事項の範囲内において訂正するものであるから新規事項の追加に該当せず、また、実質上特許請求の範囲を拡張し又は変更するものでもない。
　　　
３．むすび
　したがって、上記訂正は特許法第１２０条の４第３項で準用する平成６年法律第１１６号による改正前の特許法第１２６条第１項ただし書き及び第２項の規定に適合するので、当該訂正を認める。
　　　　
第３．特許異議申立てについての判断
１．異議申立ての理由の概要 
　異議申立人．河井清悦は、本件請求項１に係る発明の特許に対して、証拠として下記の甲第１号証乃至甲第４号証を提出し、本件請求項１に係る発明は、先願である甲第１号証に記載された発明と実質的に同一であり、本件発明の特許は、特許法第２９条の２第１項の規定に違反してされたものであるから、取り消されるべきものである、旨主張している。
　甲第１号証：特開平５−１１１５６８号公報(特願平３−２７２９４７号)
　甲第２号証：特開昭６４−５５８０号公報
　甲第３号証：特開昭６３−１６８１９４号公報
　甲第４号証：特開平３−２６８７７４号公報
　　　
２．本件発明
　本件特許第３１１３７１７号に係る発明は、その訂正が認められるから、本件の訂正明細書及び図面の記載からみて、その特許請求の範囲の請求項１に記載された事項(前記第２．１．i．訂正事項ａ参照）により特定されるものである。(以下、「本件発明」という。)
　　　　
３.甲各号証に記載の発明
　（１）甲第１号証に記載の発明
　先願である特願平３−２７２９４７号の明細書及び図面を示す甲第１号証〔特開平５−１１１５６８号公報〕には、以下の事項が記載されている。
　「【００１０】　遊技者がこのカード挿入・排出口１３３にカードを挿入してその挿入カードが適正でかつカード残額が残っている場合で玉貸操作が可能な場合には、カード処理機制御部１３５からパチンコ遊技機６０側に玉貸可ＬＥＤ点灯用の制御信号が出力されて打球待機部の一例の玉貯留皿５９に設けられている玉貸可ＬＥＤ（玉貸可表示器）４８ｄが点灯される。この玉貸可ＬＥＤ（玉貸可表示器）４８ｄは玉貸操作ができる旨を点灯表示するものである。遊技者がこの玉貸可ＬＥＤ（玉貸可表示器）４８ｄの点灯していることを確認して玉貸ボタン４４ｃを押圧操作する。すると、カード処理機６２側からパチンコ遊技機６０側の払出制御用マイクロコンピュータ３５０に玉払出指令信号が出力されて後述するたとえばロータリスイッチ等からなる貸玉額設定スイッチ１３７（図２参照）によって予め設定されている一回の玉貸操作により払出される貸玉額（以下、単に貸玉額という）分の遊技玉（パチンコ玉）が打球供給皿５９内に払出される。この貸玉額分の払出が終了するまでは玉貸可ＬＥＤ（玉貸可表示器）４８ｄが消灯する。そして貸玉額分のパチンコ玉の払出が終了した段階でカード処理機６２内に挿入されているカードのカード残額が貸玉額分減額更新される。カード処理機６２により、遊技者所有の有価価値が特定可能な情報が記録された記録媒体の記録情報が入力され、該入力された記録情報によって特定される前記有価価値を使用して貸玉を払出すため玉払出指令信号を導出する玉払出指令手段が構成されている。」（第３頁第３欄第３０行〜第４欄第５行）、
　「【００１９】　遊技領域１２０内に打込まれたパチンコ玉が始動入賞口１２５ａ，１２５ｂ，１２５ｃ（図１参照）に入賞すれば、その入賞玉が始動入賞玉検出スイッチ１２８ａ，１２８ｂ，１２８ｃにより検出され、その検出信号に基づいてゲーム制御基板ボックス１４８内のゲーム制御基板が可変表示装置１２３（図１参照）の可変制御を行なう。この始動入賞玉検出スイッチ１２８ａの検出信号はゲーム制御基板のゲーム制御用マイクロコンピュータ３７０（図１１参照）を介して払出集中制御基板７３０の払出制御用マイクロコンピュータ３５０（図１１参照）に入力され後述する制御に用いられる。これら始動入賞玉検出スイッチ１２５ａ，１２５ｂ，１２５ｃより検出された入賞玉は入賞玉処理装置４００に導かれて１個宛処理される。図１に示す中央の始動入賞口１２５ａにパチンコ玉が入賞すればその入賞玉１個につきｎ個（たとえば７個）の景品玉が払出され、左右に設けられている始動入賞口１２５ｂ，１２５ｃのいずれかにパチンコ玉が入賞すればその入賞玉１個につきｍ個（たとえば１０個）の景品玉が払出される。一方、始動入賞口１２５ａ，１２５ｂ，１２５ｃ以外の通常の入賞口や可変入賞球装置１２４内にパチンコ玉が入賞すればその入賞玉１個につきｋ個（たとえば１５個）の景品玉が打球供給皿５９に払出される。入賞玉１個につき払出すべき景品玉の個数（ｎ，ｍ，ｋ）が玉払出基板７０の払出数設定部７１に固定情報として設定されている。そして、電源投入時等に景品玉の個数データが払出集中制御基板７３０に伝送されて記憶されるように構成されている。」（第５頁第７欄第４〜３１行）、
　「【００５３】　カード処理機制御用マイクロコンピュータ３００から後述する玉貸要求信号がカード処理機側に設けられたフォトカプラからなるスイッチ回路７０６，パチンコ遊技機側に設けられたフォトカプラからなるスイッチ回路７０７を介して払出制御用マイクロコンピュータ３５０に入力される。また、カードがカード処理機６２に挿入されたことに基づいてカード処理機制御用マイクロコンピュータ３００から制御信号がフォトカプラからなるスイッチ回路７０８に入力され、その制御信号が一旦光に変換された後再度電気信号に変換されてパチンコ遊技機側に設けられているフォトカプラからなるスイッチ回路７０９に入力され、一旦光に変換された後再度電気信号に変換されて払出制御用マイクロコンピュータ３５０に入力される。これらのスイッチ回路７０７，７０６は、カード処理機側に設けられている電源回路７０１に対し直列に接続されており、スイッチ回路７０９，７０８も電源回路７０１に対し直列に接続されている。そして、カード処理機側のスイッチ回路７０６，７０８によってパチンコ遊技機側のスイッチ回路７０７，７０９がＯＮ，ＯＦＦ切換えされるのであり、ＯＮに切換えられたときには、カード処理機側の電源回路７０１からの直流電圧ＶＣによってフォトカプラが動作するように構成されている。パチンコ遊技機側のスイッチ回路７０７，７０９がカード処理機側の電源回路７０１の直流電圧ＶＣによって作動するように構成した理由は、パチンコ遊技機側のスイッチ回路７０７，７０９に印加された電圧がその後カード処理機側のスイッチ回路７０６，７０８にも印加されるために、スイッチ回路７０７，７０９をパチンコ遊技機側の電源回路からの直流電圧によって作動するように構成した場合にはそのパチンコ遊技機側の電源回路からの電圧がカード処理機側にも一部入り込んでくることになり、その結果、パチンコ遊技機側の電源回路の故障等によって異常に高い電圧が一部カード処理機側に入り込んでくる恐れがあり、パチンコ遊技機側の電源回路等の故障の影響を受けてカード処理機側の回路や電子機器が故障するという不都合が生ずるのであり、このような不都合を解消するためである。また、フォトカプラからなるスイッチ回路７０６，７０７，７０８，７０９により、前述と同様に、パチンコ遊技機側とカード処理機側とにおいて、一方の機器の電圧異常が他方の機器に悪影響を及ぼすことを極力防止できる。」（第９頁第１６欄第４１行〜第１０頁第１７欄第３１行）、
　「【００６６】　次にＳ８に進み、玉貸操作があったか否かの判断がなされ、無い場合にはＳ９に進み、返却操作があったか否かの判断が行なわれ、無い場合にはＳ８に戻る。そして、遊技者が返却ボタン４２ｃ（図１参照）を押圧操作すればＳ１０に進み、玉貸可表示器４８ｄを消灯してＳ２６に進み以降の挿入カードの返却のための制御が行なわれる。一方、遊技者が玉貸ボタン４４ｃ（図１参照）を押圧操作すれば、Ｓ１１に進み、挿入カードの現在残高すなわちカード残高表示器５０（図１参照）に表示されている残高が貸玉額設定スイッチ１３７（図２参照）で設定された設定額以上であるか否かの判断が行なわれる。そして、現在残高が設定額以上であった場合にはＳ１２により貸玉額にその設定額をセットする処理が行なわれてＳ１４に進む。一方、現在残高が設定額未満であった場合にはＳ１３により貸玉額に現在残高をセットした後にＳ１４に進む。つまり、挿入カードの現在残高が設定額に満たない場合には、その設定額を貸玉額にセットしてその設定額分のパチンコ玉を払出すわけにはいかないため、挿入カードによって払出が可能
な最高金額すなわち挿入カードの現在残高を貸玉額にセットする処理がなされるのである。」（第１２頁第２１欄第４２行〜第２２欄第１２行）、
　「【００７８】　特殊エラーのうち、カード処理機側のエラーで復帰不可能なエラーの具体例としては、電源を再立上げしなければ復帰しないようなエラーとかカード処理機が故障してしまってカード処理機６２を交換しなければならないようなエラーである。特殊エラーのうちパチンコ遊技機側のエラーの具体例としては、前述した所定の条件が整って初めて信号が変化する玉貸準備信号と玉貸完了信号とが電源投入時の当初から変化している場合，電源投入時に前述した払出可能信号が送信されてこない場合，玉貸完了信号がＴ３（Ｓ２９参照）内に送信されてこない場合，前述した払出可能信号が動作中にＯＦＦになった場合すなわちパチンコ遊技機側の電源遮断あるいは信号線の断線がある。」（第１４頁第２５欄第２８〜４０行）、
　「【００７９】　自己診断の結果、何らかの異常があると判断された場合、または払出可能信号の入力がないと判断された場合にはＳ４５によりカード処理制御が中断され、Ｓ４６により特殊エラーが否かの判断が行なわれる。発生した異常が特殊エラーであった場合には、Ｓ４８により処理機使用可表示器１３０（図１参照）が消灯される。一方、特殊エラーでなかった場合すなわち通常のエラーであった場合には、Ｓ４７により、異常箇所を表わすコードをカード残高表示器５０（図１参照）により表示する制御が行なわれる。また通常エラーの場合には、Ｓ４７の表示に加えて、処理機使用可表示器１３０を点滅させる制御が行なわれる。」（第１４頁第２５欄第４１行〜第２６欄第２行）、
　「【００８１】　次に、Ｓ５１によりエラー中である判断されたエラーが特殊エラーであった場合には、Ｓ５８に進み、Ｓ５８ないしＳ６３に従ってカード残高表示器５０（図１参照）により、異常箇所や異常の内容等をコードによって表示するエラーコード表示，端数表示，貸玉設定額表示，挿入時残高表示，ユニット番号表示，現在残高表示の順で所定時間（たとえば１秒間）間隔で表示切換えが行なわれる。そして最後に現在残高表示が行なわれ、端数表示スイッチの操作に基づく次回の表示切換えまでこの現在残高表示が行なわれる。このように、エラーコード表示は、端数表示操作が行なわれて初めて行なわれる。」（第１４頁第２６欄第２７〜３８行）、
　「【００９２】　Ｓ７４により、タンク玉センサが玉を検出しているか否かの判断が行なわれ、検出していなければＳ７５に進み玉貸しによるパチンコ玉の払出し動作が不能動化されるが、検出しておればＳ７６に進み、未払出数に玉貸数ｐをセットし、払出状態を「玉貸」にセットする処理が行なわれる。「未払出数」とは、払出すべきパチンコ玉の中でまだ払出されていない払出残り数のことであり、Ｓ７６および後述するＳ８６，Ｓ８９，Ｓ９０によりそれぞれの値がセットされるとともにパチンコ玉が１個払出されるごとにＳ１１６により「１」ずつ減算される。なお、Ｓ７６のｐとは、単位額（Ｓ２１を参照）に相当するパチンコ玉の個数でありたとえば２５個に定められている。次にＳ７７に進み、カード処理機制御用マイクロコンピュータ３００に玉貸準備信号を出力する処理が行なわれてＳ７８に進む。Ｓ７８でタイマＴ９がセットされた後Ｓ７９に進み、カード処理機側からの玉貸指令信号があるか否かの判断がなされ、ない場合にはＳ８０によりタイマＴ９がタイムアップするまでＳ７９の判断が繰返し行なわれるように制御される。その間に、Ｓ２０に基づいて玉貸指令信号が送信されてくればＳ８２に進み、貸出中表示器の点滅を開始する制御を行なってＳ９６に進むが、送信されてこない場合にはＳ８１により未払出数がクリアされた後にＳ７０に戻る。」（第１５頁第２８欄第４６行〜第１６頁第２９欄第１８行）。
　ii．甲第１号証における前記摘示の記載及び図面１、７乃至１９図によれば、甲第１号証には、以下の発明が記載されているものと認められる。
　「カードが保有する有価データの範囲内で所要数の遊技球を貸し出すための制御を行うカード処理機制御用マイクロコンピュータ３００を備えたカード処理機６２と電気的に一対一に接続されるパチンコ遊技機であって、当該パチンコ遊技機の遊技盤に設けられた入賞口への遊技球の入賞に基づく入賞信号の入力処理、および該遊技盤に設けられた所要の役物装置の制御等を行うゲーム制御用マイクロコンピュータ３７０と、前記ゲーム制御用マイクロコンピュータ３７０および前記カードユニットのカード処理機制御用マイクロコンピュータ３００の各々と電気的に接続され、該ゲーム制御用マイクロコンピュータ３７０からの入賞信号に基づいて所要数の賞球を排出させる制御、或いは該カード処理機制御用マイクロコンピュータ３００からの玉貸指令信号に基づいて所要数の貸球を排出させる制御を行う払出制御用マイクロコンピュータ３５０と、を備え、前記払出制御用マイクロコンピュータ３５０は、前記カード処理機制御用マイクロコンピュータ３００と当該払出制御用マイクロコンピュータ３５０との間がフォトカプラからなるスイッチ回路７０６，７０７，７０８，７０９により信号経路が形成されているときに、当該払出制御用マイクロコンピュータ３５０から前記カード処理機制御用マイクロコンピュータ３００に玉貸準備信号を出力するとともにタイマＴ９がセットし、当該タイマＴ９がタイムアップするまでに、前記カード処理機制御用マイクロコンピュータ３００から玉貸指令信号が送信されてくるかを判断することで、その電気的制御状態を監視する制御監視手段を備え、当該タイマＴ９がタイムアップするまでに前記カード処理機制御用マイクロコンピュータ３００から前記払出制御用マイクロコンピュータ３５０に玉貸指令信号が送信されてこないことでカード処理機制御用マイクロコンピュータ３００の異常状態を判定した場合に、未払出数をクリアした後に玉払出制御の初期状態に戻るように構成されているパチンコ遊技機。」（以下、「先願発明」という。）
　　　　
　（２）甲第２乃至４号証に記載の発明
　甲第２号証〔特開昭６４−５５８０号公報〕、甲第３号証〔特開昭６３−１６８１９４号公報〕及び甲第４号証〔特開平３−２６８７７４号公報〕には、以下の発明が記載されている。
　「金枠又はガラス扉の開放、磁石や静電気の不正使用、球切りソレノイドの断線、球受皿のオーバーフロー等の、パチンコ遊技機における異常或いは不都合な状態の発生を検知した場合に、その打球発射装置の作動を不能にするパチンコ遊技機」
　　　
４．本件発明と先願発明との対比検討
　（１）本件発明と先願発明との対比
　本件発明と先願発明とを対比すると、先願発明における、「カード処理機制御用マイクロコンピュータ３００」、「カード処理機６２」、「ゲーム制御用マイクロコンピュータ３７０」、「入賞信号或いは玉貸指令信号」、「払出制御用マイクロコンピュータ３５０」、「パチンコ遊技機」は、それぞれ、本件発明における、「球貸制御手段」、「カードユニット」、「遊技制御装置」、「排出指令信号」、「排出制御手段」、「遊技機」に相当する。
　また、先願発明における「カード処理機制御用マイクロコンピュータ３００と払出制御用マイクロコンピュータ３５０との間の電気的制御状態を監視する制御監視手段」は、カード処理機制御用マイクロコンピュータ３００と払出制御用マイクロコンピュータ３５０との間の電気的非接続状態を含む異常を電気的信号の応答状態により検知するものであるから、本件発明に係る特許明細書の段落【０００３】に「カードユニットと遊技機とを相互に電気的に接続してカードに記憶された有価価値から変換された貸球を、遊技機に備えられている球排出装置を作動させて遊技機側から直接排出するように・・・相互に電気的に接続されて対となって稼動することを前提としたカード式のパチンコ遊技システム」との記載に照らして、本件発明における「球貸制御手段と排出制御手段との間の電気的接続状態を監視する接続監視手段」に相当する。
　そして、先願発明における「電気的制御状態を監視する制御監視手段により球貸制御手段と排出制御手段との間の異常状態を判定した場合に、玉払出制御の初期状態に戻るように構成されているパチンコ遊技機」は、本件発明における「接続監視手段により球貸制御手段と排出制御手段との間の電気的非接続状態が検知された場合に、遊技機の打球発射装置の作動を不能にすることが可能に構成されている遊技機」と対比して、「接続監視手段により球貸制御手段と排出制御手段との間の電気的非接続状態が検知された場合に、遊技機の異常処理を行うように構成されている遊技機」において一致する。　そうすると、本件発明と先願発明の両者は、以下の点でそれぞれ、一致ならびに相違するものと認められる。
　　　　
　（２）一致点及び相違点
　一致点．「カードが保有する有価データの範囲内で所要数の遊技球を貸し出すための制御を行う球貸制御手段を備えたカードユニットと電気的に一対一に接続される遊技機であって、当該遊技機の遊技盤に設けられた入賞口への遊技球の入賞に基づく入賞信号の入力処理、および該遊技盤に設けられた所要の役物装置の制御等を行う遊技制御装置と、前記遊技制御装置および前記カードユニットの球貸制御手段の各々と電気的に接続され、該遊技制御装置或いは該球貸制御手段からの排出指令信号に基づいて、所要数の賞球或いは貸球を排出させる制御を行う排出制御手段と、を備え、前記排出制御手段は、前記球貸制御手段と当該排出制御手段との間の電気的接続状態を監視する接続監視手段を備え、該接続監視手段により前記球貸制御手段と前記排出制御手段との間の電気的非接続状態が検知された場合に、遊技機の異常処理を行うように構成されている遊技機。」
　相違点Ａ．排出制御手段が備える、球貸制御手段と排出制御手段との間の電気的接続状態を監視する接続監視手段において、本件発明は、球貸制御手段から直流電流が供給されなくなることをもって電気的非接続状態を検知する構成であるのに対して、先願発明は、球貸制御手段と排出制御手段との間の電気的信号の応答状態により電気的非接続状態を含む異常を検知する構成である点。
　相違点Ｂ．排出制御手段が備える接続監視手段により球貸制御手段と排出制御手段との間の電気的非接続状態が検知された場合に、本件発明は、排出制御手段が遊技機の打球発射装置の作動を不能にする構成であるのに対して、先願発明は、排出制御手段が玉払出制御の初期状態に戻るように構成されており、遊技機の打球発射装置の作動を不能にする構成を備えていない点。
　　　
　（３）相違点の検討
　i．相違点Ａについて
　本件発明は、カードユニット（球貸制御手段）と遊技機（排出制御手段）とが相互に電気的に接続されて対となって稼動することを前提としたカード式のパチンコ遊技システムであるところ、一般に相互に電気的に接続されて対となって稼動する電子機器の異常を検知する手段として、その間の断線を直流電流の有無により検知することは慣用手段（この点に関しては、先願発明に係る明細書の段落【００７８】に、カード処理機側がパチンコ遊技機側の電源遮断あるいは信号線の断線を自己診断により判断する技術が記載されている。）であるから、先願発明における、排出制御手段が備える接続監視手段において、球貸制御手段と排出制御手段との間の電気的非接続状態を電気的信号の応答状態により検知することに代えて、直流電流の有無により検知する前記慣用手段を採用して、相違点Ａにかかる本件発明の構成のようにすることは、当業者にとって単なる慣用手段の置換に過ぎないものと認められる。
　したがって、本件発明は、相違点Ａに関して、先願発明と実質的に同一である。
　ii．相違点Ｂについて
　本件発明は、球貸しの機能が不能でも遊技機における遊技が可能であるという遊技者にとって不都合な状況を回避してシステムに対する信頼性を向上させることを課題に、球貸制御手段と排出制御手段との間が電気的非接続状態になるというカードユニット（球貸制御手段）自体の異常が検知された場合に、遊技機自体における遊技制御を変更して、遊技機の打球発射装置の作動を不能にするというものである。
　ところで、パチンコ遊技機の技術分野において、異常或いは不都合な状態の発生を検知した場合に、パチンコ遊技機の打球発射装置の作動を不能にすることは、例えば甲第２乃至４号証に記載されるように周知技術であるところ、これらの周知技術は、遊技を継続することが許容できないような、遊技制御或いは玉払出制御等に係るパチンコ遊技機本体の異常等を検知した場合に、その打球発射装置の作動を不能にする作用機能のものであって、該作用機能を遊技機に具備させることには必然性があるものである。
　一方、本件発明及び先願発明が属する、カードユニット（球貸制御手段）と遊技機（排出制御手段）とが相互に電気的に接続されて対となって稼動するカード式のパチンコ遊技システムにおいては、カードユニット（球貸制御手段）と遊技機（排出制御手段）との間が電気的に非接続状態となって球貸の機能が不能になっても、パチンコ遊技機における遊技が直ちに不可能となるものではないから、その非接続状態に応じて遊技機（排出制御手段）の機能を不能にすることには、遊技機としての必然性がないものである。
　しかして、先願発明のカード式のパチンコ遊技システムは、カードユニット（球貸制御手段）の異常に応じて排出制御手段が玉払出制御の初期状態に戻るように構成されるものであって、異常処理が遊技機（排出制御手段）と関係するとしても、カードユニット（球貸制御手段）自体の異常が遊技機（排出制御手段）の動作に影響しないようにすることを意義とするものであり、先願発明には、本件発明に係る、カードユニット（球貸制御手段）の異常に応じて遊技機自体における遊技制御の実体を変更する、すなわち、遊技機の打球発射装置の作動を不能にするという本質的な技術思想については何ら記載されておらず、また、示唆もないものである。
　そして、本件発明は、相違点Ｂに係る構成によって、遊技機での遊技が可能であるにもかかわらず貸球の排出が不能となるような不都合な状況が発生するという事態を回避することができる、という先願発明及び前記周知慣用技術からは予測できない格別の効果を奏するものである。
　したがって、本件発明は、相違点Ｂに関して、先願発明と同一であるということはできない。
　　　　
　（４）まとめ
　よって、本件請求項１に係る発明は、異議申立人河井清悦が提出した、先願である甲第１号証に記載された発明と同一でないから、本件請求項１に係る発明の特許は、特許法第２９条の２の規定に違反してされたものではない。
　　　
５．むすび
　以上のとおりであるから、特許異議の申立ての理由によっては本件請求項１に係る発明についての特許を取り消すことはできない。
　また、他に本件請求項１に係る発明についての特許を取り消すべき理由を発見しない。
　したがって、本件請求項１に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年６月１０日（２００２．６．１０）
【訂正の要旨】
訂正の要旨
　平成１３年１１月２６日付けの訂正請求の内容は、以下のとおりのものである。
　ｉ．訂正事項ａ
　特許明細書の特許請求の範囲の請求項１を、
　「【請求項１】　カードが保有する有価データの範囲内で所要数の遊技球を貸し出すための制御を行う球貸制御手段を備えたカードユニットと電気的に一対一に接続される遊技機であって、当該遊技機の遊技盤に設けられた入賞口への遊技球の入賞に基づく入賞信号の入力処理、および該遊技盤に設けられた所要の役物装置の制御等を行う遊技制御装置と、前記遊技制御装置および前記カードユニットの球貸制御手段の各々と電気的に接続され、該遊技制御装置或いは該球貸制御手段からの排出指令信号に基づいて、所要数の賞球或いは貸球を排出させる制御を行う排出制御手段と、を備え、前記排出制御手段は、前記球貸制御手段と当該排出制御手段との間の電気的接続状態を監視する接続監視手段を備え、前記球貸制御手段から直流電流が供給されなくなり、該接続監視手段により前記球貸制御手段と前記排出制御手段との間の電気的非接続状態が検知された場合に、当該遊技機の打球発射装置に対してその作動を不能にすることが可能に構成されていることを特徴とする遊技機。」
と訂正する。
　ｉｉ．訂正事項ｂ
　特許明細書の段落【０００５】の【課題を解決するための手段】を、
　「上記課題を解決するため、本発明は、カードが保有する有価データの範囲内で所要数の遊技球を貸し出すための制御を行う球貸制御手段を備えたカードユニットと電気的に一対一に接続される遊技機であって、当該遊技機の遊技盤に設けられた入賞口への遊技球の入賞に基づく入賞信号の入力処理、および該遊技盤に設けられた所要の役物装置の制御等を行う遊技制御装置と、前記遊技制御装置および前記カードユニットの球貸制御手段の各々と電気的に接続され、該遊技制御装置或いは該球貸制御手段からの排出指令信号に基づいて、所要数の賞球或いは貸球を排出させる制御を行う排出制御手段と、を備え、前記排出制御手段は、前記球貸制御手段と当該排出制御手段との間の電気的接続状態を監視する接続監視手段を備え、前記球貸制御手段から直流電流が供給されなくなり、該接続監視手段により前記球貸制御手段と前記排出制御手段との間の電気的非接続状態が検知された場合に、当該遊技機の打球発射装置に対してその作動を不能にすることが可能に構成されていることを特徴とする。」
と訂正する。
　ｉｉｉ．訂正事項ｃ
　特許明細書の段落【０００６】の【作用】を、
　「本発明では、遊技制御装置により、遊技機の遊技盤に設けられた入賞口への遊技球の入賞に基づく入賞信号の入力処理、および該遊技盤に設けられた所要の役物装置の制御等が行われ、該遊技制御装置、およびカードが保有する有価データの範囲内で所要数の遊技球を貸し出すための制御を行うカードユニットの球貸制御手段の各々と電気的に接続された排出制御手段により、該遊技制御装置或いは該球貸制御手段からの排出指令信号に基づいて、所要数の賞球或いは貸球を排出させる制御が行われる。前記排出制御手段に備えられた接続監視手段により、前記球貸制御手段と排出制御手段との間の電気的接続状態が監視され、電気的非接続状態が検知された場合に、当該遊技機の打球発射装置に対してその作動が不能にされる。」
と訂正する。
　ｉｖ．訂正事項ｄ
　特許明細書の段落【００１０】を削除する訂正をする。
　ｖ．訂正事項ｅ
　特許明細書の段落【００２９】の【発明の効果】を、
　「本発明によれば、遊技機における排出制御手段により、賞球の排出制御だけではなく、カードユニットの球貸制御手段からの排出指令信号に基づく貸球の排出制御を行うようにしたので、遊技機が賞球の排出のみならず、貸球を排出するための機能を持つこととなり、その結果、遊技機側で貸球を排出することが可能となり、遊技者の貸球に関する利便性を向上させることができる。また、排出制御手段に備えられた接続監視手段により、カードユニットの球貸制御手段と排出制御手段との間の電気的接続状態が監視され、前記球貸制御手段から直流電流が供給されなくなり、該接続監視手段により前記球貸制御手段と当該排出制御手段との間の電気的非接続状態が検知された場合に、当該遊技機の打球発射装置に対してその作動が不能にされることで遊技が不能となるので、遊技機での遊技が可能であるにもかかわらず貸球の排出が不能となるような不都合な状況が発生するという事態を回避することができる。特に、排出制御手段に接続監視手段が備えられているので、効率よく確実に電気的接続状態の監視が行える。また、特に、排出制御手段が接続監視手段を備えていることにより、これらのカード式遊技機のシステムに何らかの不正行為がなされて、遊技機とカードユニット（排出制御手段と球貸制御手段）間が電気的非接続状態となった場合には、その状態が確実に検知されて遊技を行うことができなくなるので、システム自体の信頼性を向上させることができる。」
と訂正する。
（５４）【発明の名称】
遊技機
（５７）【特許請求の範囲】
　【請求項１】　カードが保有する有価データの範囲内で所要数の遊技球を貸し出すための制御を行う球貸制御手段を備えたカードユニットと電気的に一対一に接続される遊技機であって、
　当該遊技機の遊技盤に設けられた入賞口への遊技球の入賞に基づく入賞信号の入力処理、および該遊技盤に設けられた所要の役物装置の制御等を行う遊技制御装置と、
　前記遊技制御装置および前記カードユニットの球貸制御手段の各々と電気的に接続され、該遊技制御装置或いは該球貸制御手段からの排出指令信号に基づいて、所要数の賞球或いは貸球を排出させる制御を行う排出制御手段と、
　を備え、
　前記排出制御手段は、前記球貸制御手段と当該排出制御手段との間の電気的接続状態を監視する接続監視手段を備え、
　前記球貸制御手段から直流電流が供給されなくなり、
前記球貸制御手段と前記排出制御手段との間の
【発明の詳細な説明】
　【０００１】
　【産業上の利用分野】
　本発明は、カードが保有する有価データの範囲内で所要数の遊技球を貸し出すための制御を行う球貸制御手段を備えたカードユニットと電気的に一対一に接続され、賞球と貸球との排出が可能な遊技機に関する。
　【０００２】
　【従来の技術】
　近年、有価価値が記憶されたカードから所定数の貸球を変換して遊技を行うようにしたカード式のパチンコ遊技システムが提唱されている。
　このカード式のパチンコ遊技システムは、例えば１台の遊技機（パチンコ遊技機）と１台のカードユニットとしての球貸機とが対となって遊技店の島設備に配設されるようになっている。
　このようなカード方式においては、遊技客は予め記憶媒体であるカードを購入すれば、遊技球を借りるために多くの硬貨を両替したり持ち球が無くなる毎にその硬貨を球貸機に投入したりする必要がなく、また、遊技中に硬貨が無くなり両替のために席を立つ頻度を少なくすることができるという利点がある。
　ところで、従来のカード式のパチンコ遊技システムでは、カードユニットにカードを投入して所定の球貸操作を行うと、カードユニット側から貸球が排出され、その排出された貸球を遊技機側に移して遊技を行うように構成されていた。即ち、パチンコ遊技機とカードユニットとしての球貸機とが相互に関係なく機能していて、例えば、カードユニットの電源がオフとなっていても遊技機では遊技を行うことが可能となっている。
　【０００３】
　【発明が解決しようとする課題】
　しかし、近時ではカードユニットと遊技機とを相互に電気的に接続してカードに記憶された有価価値から変換された貸球を、遊技機に備えられている球排出装置を作動させて遊技機側から直接排出するようにしたカード式のパチンコ遊技システムも考えられている。しかし、このような遊技機とカードユニットとが相互に電気的に接続されて対となって稼動することを前提としたカード式遊技システムにおいては、遊技機とカードユニット間が電気的に非接続状態となって球貸の機能が不能でも遊技機における遊技が可能であっては、遊技者に対して戸惑いや不信感を与えかねない。また、システムに対して不正行為がなされても、遊技機での遊技を行うことが可能となってしまう場合もあり、システムに対する信頼性が低下してしまう。
　【０００４】
　この発明は上記のような背景の下になされたもので、その目的とするところは、遊技機とカードユニットとの間の電気的な接続が非接続状態であった場合には、遊技機での遊技を不能にすることにより、システムに対する信頼性を向上させ得る遊技機を提供することを目的とする。
　【０００５】
　【課題を解決するための手段】
　上記課題を解決するため、本発明は、カードが保有する有価データの範囲内で所要数の遊技球を貸し出すための制御を行う球貸制御手
段を
トと
機で
　当該遊技機の遊技盤に設けられた入賞口への遊技球の入賞に基づく入賞信号の入力処理、および該遊技盤に設けられた所要の役物装置の制御等を行う遊技制御装
置と
　前記遊技制御装置および前記カードユニットの球貸制御手段の各々と電気的に接続され、該遊技制御装置或いは該球貸制御手段からの排出指令信号に基づいて、所要数の賞球或いは貸球を排出させる制御を行う排出制御手
段と
　を備え、
　前記排出制御手段は、前記球貸制御手段と当該排出制御手段との間の電気的接続状態を監視する接続監視手
段を
前記球貸制御手段から直流電流が供給されなくなり、
前記球貸制御手段と前記排出制御手段との間の
　【０００６】
　【作用】
　本発明では、遊技制御装置により、遊技機の遊技盤に設けられた入賞口への遊技球の入賞に基づく入賞信号の入力処理、および該遊技盤に設けられた所要の役物装置の制御等が行われ、該遊技制御装置、およびカードが保有する有価データの範囲内で所要数の遊技球を貸し出すための制御を行うカードユニットの球貸制御手段の各々と電気的に接続された排出制御手段により、該遊技制御装置或いは該球貸制御手段からの排出指令信号に基づいて、所定数の賞球或いは貸球を排出させる制御が行われる。前記排出制御手段に備えられた接続監視手段により、前記球貸制御手段と排出制御手段との間の電機的接続状態が監視され、電気的非接続状態が検知された場合に、当該遊技機の打球発射装置に対してその作動が不能にされる。
　【０００７】
　【実施例】
　図１には、本発明に係る遊技機の一実施例が示されている。
　この実施例では、遊技機としてのパチンコ遊技機１００とカードユニットとしての遊技媒体貸出装置たる玉貸機２００とが対をなすように配設されており、各玉貸機２００にはカードリーダが内蔵され、玉貸機２００の前面パネル２１０には上記カードリーダに対応してカード挿排口２１１と、挿入されたカードの残高を表示する挿入残高表示器２２０、玉貸機２００が作動状態にあることを表示する有効表示ランプ２３０が設けられている。
　【０００８】
　一方、パチンコ遊技機１００の前面パネル１０１に設けられている供給皿１２０の上面には、操作パネル１２１が形成され、この操作パネル１２１上に上記カード挿排口２１１に挿入されたカードの残高を表示する残高表示器１２２と、貸し玉への変換の指令を与える変換ボタン１２３と、カードの排出（返却）を指令する返却ボタン１２４と、上記変換ボタン１２３が有効中であることを表示する玉貸し可能表示ランプ１２６が設けられている。
　【０００９】
　なお、１１２は賞品玉排出時に点灯される賞品球排出表示ランプ、また１１３は貸し玉排出時に点灯される貸し玉排出表示ランプ、１０８はパチンコ遊技機において打止状態が発生したときに点灯される完了ランプ、１４１は上記供給皿１２０が満杯になったときに内部でオーバーフローした賞品球を貯留する受け皿、１４２は供給皿１２０から流下される球を一個ずつ遊技領域内に発射する打球発射装置６００Ｃ（図示せず）の操作ダイヤルである。パチンコ遊技盤前面の遊技領域の構成は従来のものと同様で、任意の構成をとり得る。
　【００１０】
　【００１１】
　図２には本発明を適用したパチンコ遊技機１００の裏機構の一実施例が示されている。
　図２において、１７０は賞球を排出する球排出装置、６００は入賞検出器等からの信号に基づいて上記球排出装置１７０を制御して所定数の賞球を排出させる排出制御装置、１５１は排出される前の球を貯留しておく貯留タンク、１５２は貯留タンク１５１内の球を一列に整列させて上記球排出装置１７０まで誘導する誘導路である。
　この誘導路１５２は特に限定されないが、短時間に多量の玉を供給できるように２条に形成されており、その途中には球の重なりを防止する玉ならし１５３および待機球検出器１６０が設けられている。
　【００１２】
　また、球排出装置１７０の下方には、排出された玉を遊技機前面の上記供給皿１２０の流出口１２９へ誘導する排出樋１５５と供給皿１２０からオーバフローした玉を下方の受け皿１４１へ誘導するオーバーフロー樋１５６が連続して設けられているとともに、上記排出樋１５５の途中から分岐された玉抜き樋１５７が上記オーバーフロー樋１５６と平行して配設され、この玉抜き樋１５７と排出樋１５５との分岐部には流路切換え弁１５８が設けられている。
　１５９は遊技機の前面に設けられた入賞口に流入した入賞球を一箇所に集合させる集合樋、１８０は集合樋１５９の下端に設けられ集合された入賞球を１個ずつ分離して検出器で検出する入賞球分離検出装置、４００は遊技盤に設けられた入賞検出器からの信号に基づいて役物や表示ランプを駆動する遊技制御装置としての遊技盤制御装置である。
　【００１３】
　上記遊技盤制御装置４００と排出制御装置６００とは、３本の信号線からなるコードによって接続される。特に限定されるものでないがこの実施例では、遊技盤制御装置４００と排出制御装置６００から引き出されたコード１９１，１９２の一端が中継基板１９５に接続されており、中継基板１９５を介して遊技盤制御装置４００と排出制御装置６００とが通信可能に結合されている。なお、この実施例では入賞球分離検出装置１８０として集合樋１５９で集合された入賞球の流下経路に臨むストッパ１８２とそれを駆動するソレノイド（以下、セーフソレノイドと称する）１８３とからなり検出器（セーフセンサと称する）１８１で入賞球を１つ検出する毎にストッパ１８２をソレノイド１８３で駆動して入賞球を１つ流下させるように構成した電気式のものを用いているが、先端にストッパを、また後端に錘を有するシーソー式の球鞘とマイクロスイッチとから構成されたメカ式のものを用い、入賞球数は排出制御装置６００内に電気的に記憶させるようにしても良い。
　【００１４】
　図３には上記球排出装置１７０の一実施例を示す。
　この球排出装置１７０は、貯留タンク１５１に貯留された予備球を誘導する上記誘導樋１５２に連続するように構成された案内樋７１０を備えている。この案内樋７１０は上記誘導樋１５２に対応して２条に形成されており、各条の通路に対応して流下阻止手段としてのストッパ７４５とその駆動用排出ソレノイド７４１とからなる排出手段７４０も２組設けられている。
　上記案内樋７１０は、その機能から３つの部分からなり、上から順にそれぞれ減圧部７１１、縁切り部７１２、排出部７１３とされている。
　【００１５】
　上記減圧部７１１は、貯留タンク１５１から誘導樋１５２を介して送られてくる予備球の圧力を減らすもので、同図に示すように、緩傾斜状態にＵターンされた構造にされている。上記縁切り部７１２は、その下の排出部７１３を通る球同士に間隔を開けさせて、下方の排出手段７４０による球の流出を止め易くするためのもので、前記減圧部７１１に連続する垂直通路部分７２１と後述の排出部７１３に通じる方向変換通路部分７２２とから構成されている。
　【００１６】
　そして、垂直通路部分７２１の下端部には、球詰まり防止突部７２３が前方に突出して設けられている。この球詰まり防止突部７２３によって、垂直通路部分７２１に縦に並んで停止した球のうちの最も下の球の中心位置がその上方の球の中心位置より常に前方に位置せしめられるようになる。それによって、上方の球の流下移動圧が最も下の球を常に前方に押圧するように作用し、球詰まりが防止される。
　各案内樋７１０の排出部７１３の途中には、流下する球を検出する非接触型の排出球検出センサ７３０（排出センサ１，２）がそれぞれ設置されている。
　【００１７】
　また、各排出部７１３の途中、上記排出センサ７３０直後には上記排出手段７４０を構成するストッパ７４５が出没可能な切欠き７０３が設けられている。
　上記ストッパ７４５は、それぞれ支軸７４６によって回動自在に支持されているとともに、ストッパ７４５の一側部には、それぞれ連結ピンが突設され、これら連結ピンと排出ソレノイド７４１の作動ロッド７４２の下端部とが連結板７４７によりそれぞれ連結されている。
　【００１８】
　そして、排出ソレノイド７４１が消磁（オフ）状態にあるときには、作動ロッド７４２が下降してストッパ７４５の先端部が切欠き部７０３より案内樋７１０の排出部７１３中にそれぞれ入り込んで、排出部７１３中の遊技球の流下を阻止するようになっている。
　一方、排出ソレノイド７４１が励磁（オン）されると、作動ロッド７４２が上昇してストッパ７４５が上昇する方向に回動されて排出部７１３の切欠き７０３中から脱して、排出部７１３中の球の流下阻止状態を解除させ、案内樋７１０内の予備球を下方の排出樋１５５へ排出させるようになっている。
　【００１９】
　このように上記実施例の球排出装置１７０は、排出センサ７３０で流下する玉を一個ずつ検出しながら所定数に達した時点でストッパ７４５を作動させて排出を停止させることができるため、上述したごとく排出球数の異なる賞品球と貸し玉とを同一の球排出装置によって排出させることが可能となる。
　なお、図３において、７５０はパチンコ遊技機１００の前面枠に設けられた操作孔（図示省略）から球抜き棒が差し込まれたことを検出する球抜きセンサ７５０である。球抜きセンサ７５０がオンされると、上記排出ソレノイド７４１が連続して励磁されて案内樋７１０内の予備球を排出させるとともに、排出樋１５５内の流路切換え弁１５８の駆動手段（ソレノイド）を作動させ、排出された玉を球抜き樋１５７を通して機外へ排出させるようになっている。
　【００２０】
　上記球抜きセンサ７５０および排出ソレノイド７４１、排出センサ７３０は排出制御装置６００に電気的に接続されている。
　図４には、パチンコ遊技機１００の制御系の一実施例が示されている。
　この制御系は大きく分けると、主としてパチンコ遊技機１００の遊技盤に関する制御を司る遊技盤制御装置４００と、カードリーダ等の制御を司る玉貸し制御装置５００と、上記球排出装置１７０の制御を司る排出制御装置６００とにより構成されている。
　【００２１】
　上記制御装置のうち遊技盤制御装置４００は、パチンコ遊技機の遊技盤１０２に設けられている各種入賞球検出器から検出信号を受けて役物の駆動信号を形成したり、スピーカ１９０に対する駆動信号を形成する。
　また、遊技盤制御装置４００は、遊技状態を監視してパチンコ店の管理装置に対してパチンコ機が稼働中であることや大当りの発生、打止めの発生等の状態に関する情報を伝える機能を備えている。
　【００２２】
　排出制御装置６００は、上記玉貸し制御装置５００または遊技盤制御装置４００からの排出指令信号に基づいてパチンコ遊技機の裏機構盤に設けられている入賞球分離検出装置１８０内の検出器（セーフセンサ）１８１からの信号を受けて入賞球分離用のセーフソレノイド１８３を作動させたり、上記球排出装置１７０内の２条の案内樋７１０の途中に設けられた一対のストッパ７４５を作動させる排出ソレノイド７４１ａ，７４１ｂを励磁して、排出センサ７３０ａ，７３０ｂの検出信号に基づいて各案内樋７１０内の予備球を所定数だけ排出させるとともに、球抜きスイッチ７５０からのオン信号に基づいて排出ソレノイド７４１ａ，７４１ｂを励磁し、かつ流路切換え弁１５８の駆動源を作動させて貯留タンク１５１および誘導樋１５２内の予備球をすべて排出させたりする。
　【００２３】
　また、排出制御装置６００は、誘導樋１５２の途中に設けられた待機球検出器１６０からの検出信号が入ってくると排出ソレノイド７４１ａ，７４１ｂの励磁を保留して球排出装置１７０による排出を中止するとともに、排出時には排出指令信号の内容に応じて例えば賞品球排出表示ランプ１１２または貸し玉排出表示ランプ１１３を点灯させたり、遊技盤制御装置４００に対して賞球もしくは貸し玉の排出音要求信号を送出する。
　【００２４】
　玉貸し制御装置５００は前記玉貸機２００内に設けられており、該玉貸機２００内のカードリーダからの読取りデータを受けて挿入残高表示器２２０に対する駆動信号や残高表示器１２２に対する表示駆動信号およびカードリーダが作動状態にあることを表示する有効表示ランプ２３０やパチンコ遊技機に設けられている玉貸し可能表示ランプ１２６に対する駆動信号を形成したり、カードリーダ制御装置２５０に対する残高データ書換え信号ｑ、パンチ穴加工信号ｍ、カード排出信号ｎを形成する。
　また、玉貸し制御装置５００は、玉貸し変換スイッチ（１２３）とカード返却スイッチ（１２４）のオン信号を受け付けるとともに、排出制御装置６００に対して玉貸し要求信号やカード有無信号を送ったり、カード管理会社の管理装置８００に対して１度（１００円）分の貸し玉への変換が行なわれたことを知らせるカード決済信号ｊを送信する機能も備えている。
　【００２５】
　さらに遊技媒体貸出装置としての玉貸機２００に含まれている前記玉貸し制御装置５００と前記パチンコ遊技機１００とは相互の電気的な接続を監視する接続監視手段６０１を介して接続されている。この接続監視手段６０１は、玉貸し御装置５００とパチンコ遊技機１００との接続状態を監視し、接続状態にあるときには接続検知信号を生成する。その監視に基づいてパチンコ遊技機１００の遊技が制御されるようになっている。
　したがって玉貸機２００とパチンコ遊技機１００とが電気的に一対のものとして構成されるようになってり、前記玉貸機２００の機能が停止した場合にはパチンコ遊技機１００でも遊技を続行することができないようになっている。
　【００２６】
　本発明の目的である遊技機と玉貸機とを一対のものとして構成するための接続監視手段６０１の具体的な構成例を図５と図６とに基づいて説明する。
　図５では、前記玉貸し制御手段５００からの接続信号として直流電流が、前記排出制御装置６００に設けられた接続監視手段を構成するリレー（継電器）６００Ａに送られる実施例が示されている。
　該リレー（継電器）６００Ａは打球発射装置６００Ｃに電源を供給する電源部６００ａとで回路（発射回路）を形成している。
　即ち、前記リレー６００Ａの固定鉄心部のコイルには電源変換回路を介して所定値の直流電流が供給されていて、接点がオンするように構成されており、その結果電源部６００ａへＡＣ２４Ｖの電圧が印加されるようになっている。
　したがって打球発射装置６００Ｃが作動できるようになっていて遊技者が遊技を行うことができるようになっている。
　しかし前記玉貸し制御手段５００から直流電流が供給されなくなった場合には、接点がオフとなって、電源部６００ａへのＡＣ２４Ｖの電圧の供給が遮断されることになる。
　したがって打球発射装置６００Ｃが作動できなくなり、パチンコ遊技機１００で遊技を続行することができなくなる。
　【００２７】
　図６では、前記玉貸し制御手段５００が前記直流電流を形成し、前記排出制御装置６００に設けられて、前記接続監視手段６０１を構成するフォトカプラ６００Ｄに出力する実施例が示されている。
　そして前記玉貸し制御手段５００から接続信号が出力されていて、該玉貸し制御手段５００と前記フォトカプラ６００Ｄとが電気的に接続されていれば信号Ａ（接続検知信号）としてＨ（ハイレベル）信号が形成され、該Ｈ信号に基づき前記排出制御装置６００が作動可能に制御されている。
　一方、前記接続信号が出力されず前記玉貸し制御手段５００と前記フォトカプラ６００Ｄとの電気的な接続が遮断された場合、例えば玉貸機２００への電力の供給が停止された場合にはＬ（ロウレベル）信号が形成され、該Ｌ信号に基づき前記排出制御装置６００が作動不能に制御されるようになっている。
　この場合、前記遊技盤制御装置４００としての役物回路に出力される各種入賞球検出器からの検出信号等の賞球データは前記排出制御装置６００に記憶されるが、排出動作を中断するようにしてもよい。
　また前記Ｌ信号に基づき前記排出制御装置６００が現状態を示す信号を生成し、役物回路に出力することによって役物回路と排出制御装置６００との間の通信を中断するように制御してもよい。
　【００２８】
　前記実施例では接続監視手段６０１を構成するものとしてリレー６００Ａとフォトカプラ６００Ｄを用いているが、玉貸し制御装置と排出制御装置との接続を電気的に監視することができるものであればいずれの技術的手段でもよい。
　また接続監視手段はいずれの場所に設けてもよく、例えば遊技店の管理室に設けるようにしてもよい。
　【００２９】
　【発明の効果】
　本発明によれば、遊技機における排出制御手段により、賞球の排出制御だけではなく、カードユニットの球貸制御手段からの排出指令信号に基づく貸球の排出制御を行うようにしたので、遊技機が賞球の排出のみならず、貸球を排出するための機能を持つこととなり、その結果、遊技機側で貸球を排出することが可能となり、遊技者の貸球に関する利便性を向上させることができる。
　また、排出制御手段に備えられた接続監視手段により、カードユニットの球貸制御手段と排出制御手段との間の電気的接続状態が監視され、
前記球貸制御手段から直流電流が供給されなくなり、
前記球貸制御手段と前記排出制御手段との間の
【図面の簡単な説明】
　【図１】
　本発明に係る遊技機の一実施例を示す斜視図である。
　【図２】
　本発明に係る遊技機の裏機構を示す正面図である。
　【図３】
　本発明に係る遊技機の球排出装置１７０を示す要部断面図である。
　【図４】
　本発明に係る遊技機の制御系の一実施例を示すブロック図である。
　【図５】
　本発明に係る遊技機の接続監視手段の一実施例を示すブロック図である。
　【図６】
　本発明に係る遊技機の接続監視手段の一実施例を示すブロック図である。
　【符号の説明】
　１００　　　パチンコ遊技機（遊技機）
　２００　　　球貸機（カードユニット）
　４００　　　遊技盤制御装置（遊技制御装置）
　５００　　　玉（球）貸し制御装置（球貸制御手段）
　６００　　　排出制御装置（排出制御手段）
　６００Ａ　　　リレー（接続監視手段）
　６００Ｃ　　　打球発射装置
　６０１　　　接続監視手段